(57)【要約】【課題】Ｗｅｂサーバに格納したコンテンツが更新されると、更新通知の電子メールを直ちにユーザに配信するコンテンツの更新通知システムを提供する。【解決手段】配信管理サーバ２をアクセスして、コンテンツを予め設定されたコンテンツ識別情報と関連付けしてアップロードするアップロード装置１ａと、配信管理サーバ２をアクセスしてコンテンツの配信要求を行なうユーザの端末装置６ｂを備えている。配信管理サーバ２は、アップロードされたコンテンツがストックサーバ５ａへの格納完了の情報を受信すると、直ちに、格納完了したコンテンツの識別情報と関連付けしてデータベースに登録されているユーザの電子メールアドレスを抽出し、この求めた電子メールアドレス宛にコンテンツが更新された旨を示す電子メールを送信するようにしたシステムである。【選択図】図１
2009223553.tif 000002
【特許請求の範囲】
【請求項１】
配信管理サーバをアクセスして該配信管理サーバの制御に基づいて、コンテンツを予め配信依頼者に発行されたチャンネル番号と関連付けしてアップロードする前記配信依頼者のアップロード装置と、
前記アップロード装置からアップロードされた前記コンテンツを、ストックサーバの記憶領域に前記チャンネル番号と関連付けして格納する制御を行なう前記配信管理サーバと、
前記配信管理サーバをアクセスして、前記ストックサーバに格納された前記コンテンツの配信要求を行なうユーザの端末装置と、を備えたコンテンツ配信管理システムにおいて、
前記配信管理サーバは、
前記ユーザの前記コンテンツの更新通知の要求に対する情報として、前記ユーザの端末装置から少なくとも前記ユーザの電子メールのメールアドレスと、前記更新通知の要求に係るコンテンツに関連付けされたチャンネル番号とに関する情報を取得するユーザ会員登録手段と、
前記ユーザ会員登録手段により取得した前記ユーザの前記メールアドレスと、同じく前記取得した前記ユーザの更新通知の要求に係るコンテンツに関連付けされた前記チャンネル番号とを関連付けしたデータベースを作成する手段と、
前記アップロード装置からアップロードされた前記コンテンツの前記ストックサーバへの格納完了に係る情報の受信に基づいて、前記格納完了した前記コンテンツに関連付けされた前記チャンネル番号に対応する前記ユーザのメールアドレスを、前記データベースを参照して求めるメールアドレス抽出手段と、
前記メールアドレス抽出手段が求めた前記メールアドレス宛に、前記コンテンツが更新された旨を示す電子メールを送信するコンテンツ更新通知手段と、
を備えていることを特徴とするコンテンツ配信管理システム。
【請求項２】
前記配信管理サーバは、前記コンテンツの格納完了に係る情報を受信すると、前記メールアドレス抽出手段と前記コンテンツ更新通知手段を順次実行させることを特徴とする請求項１に記載のコンテンツ配信管理システム。
【請求項３】
前記データベースは、
前記ユーザ会員登録手段により取得した情報に基づいて、前記ユーザを識別するユーザＩＤごとに前記ユーザの前記メールアドレスを登録したユーザデータベースと、
同じく前記ユーザ会員登録手段により取得した前記チャンネル番号又は該チャンネル番号を識別する情報と、該チャンネル番号を取得した前記ユーザのユーザＩＤと、を関連付けして登録した更新通知マッチチングテーブルと、
を備えていることを特徴とする請求項１に記載のコンテンツ配信管理システム。
【請求項４】
前記コンテンツは、動画像、静止画像、Ｗｅｂページ、テキスト文書に係る情報から構成されるいずれか一つのファイルとされていることを特徴とする請求項１又は請求項２に記載のコンテンツ配信管理システム。
【請求項５】
配信管理サーバをアクセスして該配信管理サーバの制御に基づいて、コンテンツを予め配信依頼者に発行されたチャンネル番号と関連付けしてアップロードする前記配信依頼者のアップロード装置と、
前記アップロード装置からアップロードされた前記コンテンツを、ストックサーバの記憶領域に前記チャンネル番号と関連付けして格納する制御を行なう前記配信管理サーバと、
前記配信管理サーバをアクセスして、前記ストックサーバに格納された前記コンテンツの配信要求を行なうユーザの端末装置と、を備えたコンテンツ配信管理システムにおけるコンテンツの更新通知方法において、
前記ユーザの前記コンテンツの更新通知の要求に対する情報として、前記ユーザの端末装置から少なくとも前記ユーザの電子メールのメールアドレスと、前記更新通知の要求に係るコンテンツに関連付けされたチャンネル番号とに関する情報を取得するユーザ会員登録ステップと、
前記ユーザ会員登録ステップにより取得した前記ユーザの前記メールアドレスと、同じく前記取得した前記ユーザの更新通知の要求に係るコンテンツに関連付けされた前記チャンネル番号とを関連付けしたデータベースを作成するステップと、
前記アップロード装置からアップロードされた前記コンテンツの前記ストックサーバへの格納完了に係る情報の受信に基づいて、前記格納完了した前記コンテンツに関連付けされた前記チャンネル番号に対応する前記ユーザのメールアドレスを、前記データベースを参照して求めるメールアドレス抽出ステップと、
前記メールアドレス抽出手段が求めた前記メールアドレス宛に、前記コンテンツが更新された旨を示す電子メールを送信するコンテンツ更新通知ステップと、
を備えていることを特徴とするコンテンツの更新通知方法。
【請求項６】
前記コンテンツの格納完了に係る情報を受信すると、前記メールアドレス抽出ステップと前記コンテンツ更新通知ステップとを順次実行させることを特徴とする請求項５に記載のコンテンツの更新通知方法。
【発明の詳細な説明】
【技術分野】
【０００１】
本発明は、Ｗｅｂサイトに格納されている動画やＷｅｂページ等のコンテンツをユーザの端末装置に配信するサービスを行なうコンテンツ配信システムにおいて、コンテンツの更新をユーザの端末装置に通知するためのシステム、及びその更新通知の方法に関するものである。
【背景技術】
【０００２】
従来から、ユーザがインターネットに接続可能なパーソナルコンピュータや携帯電話機等の端末装置を操作して、Ｗｅｂページを含む各種の情報を格納（蓄積）するＷｅｂサイトのＵＲＬ（Uniform resource Locator）にアクセスすることにより、各種の情報をユーザの端末装置に配信するサービスを行う各種のコンテンツ配信システムが実用化されている。また、携帯電話機で撮像した動画像（動画）をＷｅｂサイトにアップロードして投稿し、Ｗｅｂサイトに格納したこれら動画像を、ユーザの携帯電話機からの配信要求に基づいて携帯電話機に配信するサービスを行なう動画投稿システムも実用化されている。
【０００３】
このようなコンテンツ配信システムにおいて、Ｗｅｂサイトに格納されているコンテンツは、一般に、不定期的にあるいは定期的に新しいコンテンツに更新される。そして、この更新したコンテンツがユーザの端末装置に配信されるようになっている。しかしながら、ユーザがＷｅｂサイトに格納されているコンテンツが更新されたか否かの確認は、ユーザが端末装置を操作してこのＷｅｂサイトのコンテンツを格納しているＵＲＬ、例えばＷｅｂページのＵＲＬをアクセスしてこのＷｅｂページに関する情報（ＨＴＭＬファイル等）を端末装置にダウンロードし、表示装置に表示されたＷｅｂページを閲覧することにより行なわれていた。
【０００４】
ユーザがＷｅｂサイトを度々アクセスして更新の有無を確認することは極めて面倒な操作になる。このため、ユーザがこのようなＷｅｂページ等のコンテンツの更新を確認する操作を不要とする技術として、従来から主として次のような技術が実用化されている。
【０００５】
このような技術の一つとしては、コンテンツの更新の有無をソフト処理により判定するＷｅｂサイトを設置する。そして、このＷｅｂサイトは定期的にＷｅｂページをインターネット上に公開するＷｅｂサイトを定期的にアクセスして、Ｗｅｂページを記載する記述言語等の変更の有無をチェックして、変更があるとこのＷｅｂページは更新されたと判定し、ユ−ザの電子メールのアドレスに電子メールで通知する更新通知サービスがある。
【０００６】
二つ目の技術としては、ＲＳＳ（RDF Site
Summary）サイトを設置するとともに、ユーザの端末装置にはＲＳＳリーダをインストールしたＲＳＳ技術を応用した更新通知サービスがある。
【０００７】
Ｗｅｂページの更新が発生したときに、ユーザの端末装置にその旨を電子メールで通知する技術としては、例えば下記の特許文献１及び特許文献２に記載の発明が提案されている。
【０００８】
特許文献１には、Ｗｅｂページの更新を電子メールでクライアントに通知するために、  クライアントサービスプロバイダを設置し、クライアント端末から特定のＷｅｂページについて更新通知の要求を受け付ける。また、このクライアントサービスプロバイダは、クライアントからこの更新通知要求のあったＷｅｂページに関する情報とともにユーザの電子メールアドレスを顧客データベースに登録する。そして、クライアントサービスプロバイダは、更新通知要求のあったＷｅｂページについて、予め設定した実行周期、例えば、毎日、毎週、毎月１回等に応じてこのＷｅｂページ内容の更新の有無をチェックし、更新有りと判定されるとユーザの電子メールアドレス宛に電子メールで通知することが開示されている。
【０００９】
特許文献２には、コンテンツの更新情報を通知するユーザの電子メールアドレスを格納する手段と、各コンテンツの各管理項目を格納する手段と、定期的に各コンテンツの各管理項目を収集し、収集した管理項目と、格納されている管理項目とを照合して、管理項目に変化があるか否かを判断する手段と、管理項目の変化に応じて、格納されている各コンテンツの各管理項目を更新する手段と、何れかの管理項目に変化のあったコンテンツは更新されたものとして、コンテンツの更新情報を、各通知対象者の電子メールアドレス宛に電子メールにて送る手段、を備えたネットワークコンテンツ管理システムが開示されている。なお、上記した管理項目とは、コンテンツのハッシュ値、生成日時、ファイルサイズなど、各サーバが管理している各コンテンツの更新を見出すために管理する項目とすることが記載されている。
【００１０】
また、上記したユーザの端末装置にインストールしたＲＳＳリーダにより、ＷｅｂサイトのＷｅｂページ等のコンテンツの要約や更新日時を得る方法は、ＲＳＳリーダが定期的にＲＳＳサイトへアクセスするためのＲＳＳファイルを予め設定しておく必要がある。近年、このＲＳＳサイトの新規登場は極めて多くなっているので、ユーザにとってはＲＳＳサイトの追加登録を行なう操作は極めて煩わしい。このようなＲＳＳリーダによるコンテンツの更新通知の不具合を解決する技術として、特許文献３に記載の発明が提案されている。
【００１１】
特許文献３には、ユーザの端末装置が備えているＲＳＳリーダに、新規に登場したＲＳＳサイトを自動的に追加登録する動的ＲＳＳチャンネル変更装置（Ｗｅｂサイト）が提案されている。
【００１２】
【特許文献１】特開２００２−７３４５５号公報
【特許文献２】特開２００３−１５０４３８号公報
【特許文献３】特開２００７−３３４４７６号公報
【発明の開示】
【発明が解決しようとする課題】
【００１３】
上記した特許文献１及び特許文献２に記載の発明においては、コンテンツの更新有無の判定を行なうＷｅｂサイト（管理サーバ）は、コンテンツの更新通知に関する情報をユーザの電子メールアドレス宛に通知する手段を備えているが、いずれも定期的にコンテンツを格納（記憶）している各サーバをアクセスしてこのコンテンツが更新されているか否かを判定する手段を採用している。さらに、この管理サーバは、コンテンツが更新されたか否かを判定するためのソフトウエア（プログラム）を備えておく必要がある。一般に、Ｗｅｂページなどのコンテンツの構成は、コンテンツごとに多様な仕様になっているので、コンテンツが更新されたか否かを精度高く判定するためには、この更新判定ソフトウエアの判定ロジックは極めて複雑になる。このため、更新判定ソフトウエアの処理時間は長時間を要する可能性が生じるので、管理サーバの負荷が大きくなるという不具合も発生する。
【００１４】
上記特許文献３に記載の発明は、ユーザの端末装置は予めＲＳＳリーダというアプリケーションプログラムを準備しておく必要がある、いわゆる、従来のＲＳＳリーダを使用したＷｅｂページ等に関する更新通知の改良技術である。このような技術を実現するためには、動的ＲＳＳチャンネル変更装置（管理サーバ）は、複数のＲＳＳサイトをアクセスする必要があるので、大規模なシステム構成になるという欠点も生じる。
【００１５】
そこで、本発明の目的は、ユーザは自分の端末装置にＲＳＳリーダを備える必要がなく、かつ、ＲＳＳサイトをアクセスする必要もなく、さらに、Ｗｅｂページ等のコンテンツが更新されてストック（配信）サーバにアップロードされて格納された時点でコンテンツは更新されたと判定して、直ちにユーザの端末装置に更新通知の電子メールを送信することができるコンテンツ配信管理システム、およびコンテンツの更新通知方法を提供することにある。
【課題を解決するための手段】
【００１６】
本発明は、配信管理サーバをアクセスして該配信管理サーバの制御に基づいて、コンテンツを予め配信依頼者に発行されたチャンネル番号と関連付けしてアップロードする前記配信依頼者のアップロード装置と、
前記アップロード装置からアップロードされた前記コンテンツを、ストックサーバの記憶領域に前記チャンネル番号と関連付けして格納する制御を行なう前記配信管理サーバと、
前記配信管理サーバをアクセスして、前記ストックサーバに格納された前記コンテンツの配信要求を行なうユーザの端末装置と、を備えたコンテンツ配信管理システムにおいて、
前記配信管理サーバは、
前記ユーザの前記コンテンツの更新通知の要求に対する情報として、前記ユーザの端末装置から少なくとも前記ユーザの電子メールのメールアドレスと、前記更新通知の要求に係るコンテンツに関連付けされたチャンネル番号とに関する情報を取得するユーザ会員登録手段と、
前記ユーザ会員登録手段により取得した前記ユーザの前記メールアドレスと、同じく前記取得した前記ユーザの更新通知の要求に係るコンテンツに関連付けされた前記チャンネル番号とを関連付けしたデータベースを作成する手段と、
前記アップロード装置からアップロードされた前記コンテンツの前記ストックサーバへの格納完了に係る情報の受信に基づいて、前記格納完了した前記コンテンツに関連付けされた前記チャンネル番号に対応する前記ユーザのメールアドレスを、前記データベースを参照して求めるメールアドレス抽出手段と、
前記メールアドレス抽出手段が求めた前記メールアドレス宛に、前記コンテンツが更新された旨を示す電子メールを送信するコンテンツ更新通知手段と、
を備えていることを特徴としている。
【００１７】
さらに、本発明のコンテンツ配信管理システムにおいて、前記配信管理サーバは、前記コンテンツの格納完了に係る情報を受信すると、前記メールアドレス抽出手段と前記コンテンツ更新通知手段を順次実行させることを特徴としている。
【００１８】
さらに、本発明のコンテンツ配信管理システムにおいて、前記データベースは、
前記ユーザ会員登録手段により取得した情報に基づいて、前記ユーザを識別するユーザＩＤごとに前記ユーザの前記メールアドレスを登録したユーザデータベースと、
同じく前記ユーザ会員登録手段により取得した前記チャンネル番号又は該チャンネル番号を識別する情報と、該チャンネル番号を取得した前記ユーザのユーザＩＤと、を関連付けして登録した更新通知マッチチングテーブルと、
を備えていることを特徴とする
【００１９】
さらに、本発明のコンテンツ配信管理システムにおいて、前記コンテンツは、動画像、静止画像、Ｗｅｂページ、テキスト文書に係る情報から構成されるいずれか一つのファイルとされていることを特徴としている。
【００２０】
また、本発明は、配信管理サーバをアクセスして該配信管理サーバの制御に基づいて、コンテンツを予め配信依頼者に発行されたチャンネル番号と関連付けしてアップロードする前記配信依頼者のアップロード装置と、
前記アップロード装置からアップロードされた前記コンテンツを、ストックサーバの記憶領域に前記チャンネル番号と関連付けして格納する制御を行なう前記配信管理サーバと、前記配信管理サーバをアクセスして、前記ストックサーバに格納された前記コンテンツの配信要求を行なうユーザの端末装置と、を備えたコンテンツ配信管理システムにおけるコンテンツの更新通知方法において、
前記ユーザの前記コンテンツの更新通知の要求に対する情報として、前記ユーザの端末装置から少なくとも前記ユーザの電子メールのメールアドレスと、前記更新通知の要求に係るコンテンツに関連付けされたチャンネル番号とに関する情報を取得するユーザ会員登録ステップと、
前記ユーザ会員登録ステップにより取得した前記ユーザの前記メールアドレスと、同じく前記取得した前記ユーザの更新通知の要求に係るコンテンツに関連付けされた前記チャンネル番号とを関連付けしたデータベースを作成するステップと、
前記アップロード装置からアップロードされた前記コンテンツの前記ストックサーバへの格納完了に係る情報の受信に基づいて、前記格納完了した前記コンテンツに関連付けされた前記チャンネル番号に対応する前記ユーザのメールアドレスを、前記データベースを参照して求めるメールアドレス抽出ステップと、
前記メールアドレス抽出手段が求めた前記メールアドレス宛に、前記コンテンツが更新された旨を示す電子メールを送信するコンテンツ更新通知ステップと、
を備えていることを特徴としている。
【００２１】
さらに、本発明のコンテンツの更新通知方法においては、前記コンテンツの格納完了に係る情報を受信すると、前記メールアドレス抽出ステップと前記コンテンツ更新通知ステップとを、順次直ちに実行させることを特徴としている。
【００２２】
なお、上記したコンテンツとは、動画（動画像）、静止画像、ブログ用Ｗｅｂページを含む各種のＷｅｂページ、テキスト文書等であって、一つのファイルとして処理されている情報を示し、音声を含むコンテンツであってもよい。
【発明の効果】
【００２３】
本発明は、次のような効果を発揮することができる。
（１）配信管理サーバ２は、配信依頼者のアップロード装置１ａ等から更新したコンテンツがアップアップロードされてストックサーバ５ａ又は５ｂに格納され、その格納完了に係る情報を受信すると、このコンテンツは更新されたと判定する処理を行なうようにしている。  
これにより、本発明においては、従来から実施されているＷｅｂページを記述した記述言語のファイルを格納しているＷｅｂサイトをアクセスして、このＷｅｂページが更新されているか否か、すなわち、このＷｅｂページの記述言語が変更されているか否かを判定する処理、あるいは、ＲＳＳサイトをアクセスしてＲＳＳファイルの内容をチェックする処理が不要になる。また、ユーザはその端末装置にＲＳＳリーダを備える必要がない新規なコンテンツの更新通知システムを提供することが可能になる。
【００２４】
（２）本発明は、更新されたコンテンツが上記したストックサーバ５ａ又は５ｂに格納したことを示す格納完了に係る情報に基づいて、このコンテンツは更新されたと判定する処理を行なうので、本発明で取り扱うコンテンツは、各種のＷｅｂページの他に、動画像や静止画像、あるいは各種のテキスト文書等にも適用することが可能になる。これにより、本発明は、例えば、各種企業や団体等のＷｅｂページの他に、販売促進等の動画像を配信する動画配信システム、あるいは携帯電話機を利用した動画像投稿システムに、簡単に採用することができる。
また、更新されたコンテンツがストックサーバ５ａ又は５ｂに格納されると、直ちに、ユーザの端末装置に電子メールで更新された旨を配信することが可能になるので、コンテンツの配信依頼者とユーザの双方にとって極めて有効なコンテンツ配信管理システムを提供することができる。
【発明を実施するための最良の形態】
【００２５】
以下、本発明を実施するための最良の形態を、図面を参照して説明する。図１は、本発明を実施するための一例を示すシステム全体の構成図である。
【００２６】
［システム構成］
図１において、１ａは本システムを利用してコンテンツの配信依頼を行なう配信依頼者（以下、単に配信依頼者という）の携帯情報端末（以下、携帯電話機という）、１ｂは同じく配信依頼者の端末装置である。なお、携帯情報端末１ａとしては、いわゆるＰＤＡ（Personal Digital Assistant）を用いてもよい。携帯電話機１ａと端末装置１ｂは、配信依頼者がコンテンツをアップロードするためのアップロード装置を構成する。図１には１台の携帯電話機１ａと、１台の端末装置１ｂのみ示しているが、さらに複数の配信依頼者ごとに複数の携帯電話機、あるいは端末装置が存在する。
アップロード装置となる携帯電話機１ａと端末装置１ｂは、コンテンツを後述するストックサーバ５ａ（５ｂ）にアップロードするための装置になる。
【００２７】
なお、上記したコンテンツとは、配信依頼者が本システムを利用してユーザに配信する各種の情報であって、前記したように、動画（動画像）、静止画像、各種のＷｅｂページ、ブログ用のＷｅｂページ、テキスト文書等であって、一つのファイルとしてコンピュータや携帯電話機に記憶、再生及びデータ転送の処理が行なわれる情報を示し、音声を含む情報であってもよい。以下の説明において、これらファイル単位の情報を単に「コンテンツ」と記載する。
【００２８】
携帯電話機１ａは、ブラウザソフトを搭載したインターネット接続機能と、電子メールの送受信機能と、動画や静止画像を撮像して再生するカメラ撮像機能を備えた携帯電話機である。なお、このカメラ撮像機能は、３ＧＰＰ（3rd Generation Partnership Project）、または３ＧＰＰ２（3rd Generation Partnership Project 2）により策定された仕様の動画像を撮像する機能と再生機能を備えていることが望ましい。また、配信依頼者の端末装置１ｂは、ブラウザソフトを搭載したインターネット接続機能と、電子メールの送受信機能と、動画や静止画像等を再生するソフトウエアを備えたパーソナルコンピュータから構成される。なお、上記した配信依頼者とは、携帯電話機１ａや端末装置１ｂに予め記憶されているコンテンツを、本システムを利用してユーザに配信する者を示し、例えば、一般の企業、各種の団体、個人を含む。
【００２９】
２は配信管理サーバである。配信管理サーバ２は、サーバ用のＯＳ（Operating System）と、本システムの稼働を制御するための各種のプログラムと、データベースを備えている。配信依頼者が携帯電話機１ａ、あるいは端末装置１ｂからコンテンツをアップロードするときには、配信管理サーバ２をアクセスして配信管理サーバ２の制御に基づいてアップロードが実行される。なお、配信依頼者の携帯電話機１ａ、あるいは端末装置１ｂからアップロードされたコンテンツは、ストックサーバ５ａ（５ｂ）に格納（記憶）される。配信管理サーバ２は、例えば、本システムの管理運営を行なうシステム管理者が管理するサーバである。
【００３０】
３ａ、３ｂはメールサーバである。メールサーバ３ａ、３ｂは、配信依頼者の携帯電話機１ａが配信管理サーバ２をアクセスして動画等のコンテンツを電子メールに添付してアップロードするときに、配信管理サーバ２の制御に基づいてこのアップロードされたコンテンツを受信するサーバ（メール受信用サーバ）になる。メールサーバ３ａ又は３ｂにアップロードされたコンテンツは、配信管理サーバ２の制御に基づいてエンコードサーバ４を経由してストックサーバ５ａ（５ｂ）に格納（記憶）される。なお、図１においては、２台のメールサーバ３ａ、３ｂを設置した例を示しているが１台のメールサーバを設置してもよい。また、配信管理サーバ２にメールサーバとしての機能を備えるようにしてもよい。以下の説明において、メールサーバ３ａ又は３ｂを代表して説明するときは、「メールサーバ３ａ等」と記載する。
【００３１】
４は、エンコード（編集）サーバである。エンコードサーバ４は、アップロード装置１ａ（１ｂ）からアップロードされたコンテンツのうち、特に動画象に関するコンテンツのファイルの先頭位置と終端位置の双方又はその一方に、例えば、所定の再生時間のデータ容量を有するＣＭ（広告）映像を結合する処理を行なうサーバである。エンコードサーバ４によりＣＭ映像を結合した一つのファイルからなるコンテンツが、ストックサーバ５ａ（５ｂ）に転送されて格納（記憶）されることになる。なお、本発明のシステムにおいては、アップロード装置１ａ（１ｂ）からアップロードされるコンテンツの全てにＣＭ映像を結合する処理を行なうのではなく、例えば、配信依頼者との契約に基づいてＣＭ映像を結合する処理を行なうようにする。
【００３２】
５ａ、５ｂはストック（配信）サーバである。ストックサーバ５ａ、５ｂは、前記した配信依頼者のアップロード装置１ａ（１ｂ）からアップロードされたコンテンツを格納（記憶）するためのサーバであるとともに、ストックサーバ５ａ、５ｂに格納されているコンテンツを配信管理サーバ２の制御に基づいて後述するユーザの携帯電話機等の端末装置に配信する処理を行なうサーバになる。なお、図１には２台のストックサーバ５ａ、５ｂを示しているが、１台または３台以上のストックサーバを設けてもよい。さらに、ストックサーバ５ａ、５ｂは、各種企業や団体がインターネット上にＷｅｂページ等を公開しているサーバを利用してもよい。以下の説明において、ストックサーバ５ａ、５ｂを代表して説明するときには、「ストックサーバ５ａ等」と記述する。
【００３３】
６ａ、６ｂはユーザの端末装置であって、６ａは携帯電話機、６ｂはパーソナルコンピュータから構成される。ユーザの携帯電話機６ａ及び端末装置６ｂは、配信管理サーバ２をアクセスしてストックサーバ５ａ等に格納されているコンテンツの配信要求を行なって、配信されたコンテンツを視聴、又は閲覧するための端末装置である。また、これらユーザの携帯電話機６ａ、端末装置６ｂは、ユーザがコンテンツの更新通知要求の登録を行なっている場合には、配信管理サーバ２の制御に基づいて、コンテンツの更新通知の電子メールが送信される端末装置になる。なお、図１には１台の携帯電話機６ａと、１台の端末装置６ｂのみを示しているが、さらに複数のユーザごとに複数の携帯電話機、あるいは端末装置が存在する。
【００３４】
ユーザの携帯電話機６ａは、ブラウザソフトを搭載したインターネット接続機能と、電子メールの送受信機能と、動画や静止画像等の再生とカメラ撮像機能を備えた携帯電話機である。このカメラ撮像機能は、３ＧＰＰ、または３ＧＰＰ２により策定された仕様の動画像を撮像する機能と再生機能を備えていることが望ましい。なお、携帯電話機６ａは、前記したＰＤＡ端末を用いてもよい。
【００３５】
また、ユーザの端末装置６ｂは、ブラウザソフトを搭載したインターネット接続機能と、電子メールの送受信機能と、動画や静止画像等を再生するソフトウエアを備えたパーソナルコンピュータから構成される。
【００３６】
７ａ、７ｂは、メール配信サーバである。メール配信サーバ７ａ、７ｂは、配信管理サーバ２の制御に基づいて、ストックサーバ５ａ等に格納されているコンテンツが更新されたときに、コンテンツの更新通知要求の登録を行なっているユーザの端末装置に、コンテンツが更新された旨を記載した電子メールを送信する処理を行なうサーバである。なお、以下の説明において、メール配信サーバ７ａ、７ｂを代表して説明するときには「メール配信サーバ７ａ等」と記載する。
【００３７】
上記した配信依頼者の端末装置１ｂ、配信管理サーバ２、メールサーバ３ａ、３ｂ、エンコードサーバ４、ストックサーバ５ａ、５ｂ、ユーザの端末装置６ｂ、メール配信サーバ７ａ、７ｂは、インターネット８に接続されている。また、配信依頼者の携帯電話機１ａ、ユーザの携帯電話機６ａは、地上基地局９ａ、９ｂ、携帯電話サービス会社のサーバ１０ａ、１０ｂを介してインターネット８に接続可能になっている。
【００３８】
本システムを構築して稼働させるために、本システムの管理運営を行なうシステム管理者、例えば、配信管理サーバ２のシステム管理者は、予め次の事項を行なっておく必要がある。
【００３９】
（１）本システムを利用してコンテンツのアップロードと配信を依頼する配信依頼者を募集する。そして、本システムを利用してコンテンツをアップロードする配信依頼者が決定すると、システム管理者は、この配信依頼者との契約に基づいて配信依頼者に一つ又は複数のコンテンツ識別情報（以下、チャンネル番号という）を所定期間にわたって付与（発行）する。このチャンネル番号は、配信依頼者がアップロードするコンテンツを識別するための固有の識別情報となるものであって所定の桁数、例えば、６桁〜１５桁の数字あるいは英数字から構成されるようにする。また、配信依頼者が複数種のコンテンツのアップロードを希望する場合には、同一の配信依頼者に複数のチャンネル番号を発行する。なお、配信依頼者の募集は、本システムの稼働後においても可能にする。
【００４０】
（２）上記（１）により配信依頼者に対して発行したチャンネル番号ごとに、このチャンネル番号と関連付けしてアップロードするメールサーバ３ａ等のＵＲＬ、エンコードサーバ４のＵＲＬ、メール配信サーバ７ａ、７ｂのＵＲＬ、等を決定し、これら決定した情報を登録した各種データベース（チャンネル番号データベース）を作成して配信管理サーバ２の記憶手段となる外部記憶装置に記憶する作業を行なう。
【００４１】
（３）さらに、チャンネル番号ごとに、アップロードするコンテンツのタイトル名、ジャンル、このコンテンツが更新されたときにユーザに対してコンテンツ更新の通知を行なうか否かの情報（更新可否の情報）、コンテンツ更新の通知を行なうメール配信サーバ７ａ等のＵＲＬ、課金単価、等を登録したデータベース（コンテンツ管理データベースＤ２）を作成して配信管理サーバ２の記憶手段となる外部記憶装置に記憶する作業を行なう。
【００４２】
上記したように、このチャンネル番号はアップロードされるコンテンツを識別するための固有の識別情報となるものであって、配信依頼者が携帯電話機１ａ、あるいは端末装置１ｂからコンテンツをアップロードするときには、このコンテンツは配信管理サーバ２の制御に基づいて配信依頼者に対して発行されたチャンネル番号と関連付けしてアップロードされる。また、ユーザが携帯電話機６ａ、あるいは端末装置６ｂを操作して配信管理サーバ２をアクセスしてコンテンツの配信要求を行なう場合には、ユーザは視聴又は閲覧したいコンテンツのチャンネル番号を入力して配信管理サーバ２に送信する操作を行なう。
【００４３】
（４）システム管理者は、本システムを利用してコンテンツの視聴又は閲覧を行なうユーザのうち、配信依頼者が更新したコンテンツをアップロードしたときに、このコンテンツが更新された旨を示す情報を、電子メールにより通知（更新通知）を要求するユーザ会員を募集する。この電子メールによる更新通知を要求するユーザ会員の募集と、このユーザ会員に関する情報の登録処理は、例えば、配信管理サーバ２がインターネット８上に公開するＷｅｂページを利用して行なう。このＷｅｂページを利用したユーザ会員の募集においては、更新通知を要求するコンテンツに関連付けされているチャンネル番号と、ユーザの電子メールのアドレス等を取得するようにする。そして、これら取得した情報から、例えば、ユーザを識別する情報となるユーザＩＤごとに、このユーザの電子メールのアドレスを登録したデータベース（ユーザデータベースＤ３）を作成して配信管理サーバ２の記憶手段となる外部記憶装置に記憶する処理を行なう。なお、ユーザ会員の募集は、配信管理サーバ２をアクセスすることにより本システムの稼働後においても可能にする。
【００４４】
［データベース及びデータテーブルの構成］
続いて、本システムを稼働させるために必要となるデータベースとデータテーブルの構成について説明する。
【００４５】
図２は、配信依頼者に発行したチャンネル番号（ａ１）ごとに、各サーバのＵＲＬとこの配信依頼者の属性情報を登録したチャンネル番号データベースＤ１のデータ構成例を示している。各サーバのＵＲＬとしては、配信依頼者が携帯電話機１ａからコンテンツをアップロードするためのメールサーバ３ａ又は３ｂのＵＲＬ（ａ２）、このコンテンツが格納されるストックサーバ５ａ又は５ｂのＵＲＬ（ａ３）、エンコードサーバ４のＵＲＬ（ａ４）、配信依頼者の属性情報としてパスワード（ａ５）、名称（氏名）、住所等である。
【００４６】
図３は、コンテンツ管理データベースＤ２についてそのデータ構成の一例を示している。コンテンツ管理データベースＤ２は、配信依頼者に発行したチャンネル番号（ａ１）ごとに、このチャンネル番号（ａ１）に関連付けされたコンテンツのタイトル名（ｂ２）、このコンテンツのジャンルに関する情報（ジャンル）（ｂ３）、このチャンネル番号が設定されたコンテンツが更新されたときに、ユーザに更新通知を行なうか否かを示す更新通知の可否（ｂ４）、メール配信サーバ７ａ又は７ｂのＵＲＬ（ｂ５）、ユーザに送付する更新通知の電子メールに表示（記載）するＵＲＬ（ｂ６）、アップロード日時（ｂ７）、課金単価（ｂ８）、等の情報を登録したデータベースである。
【００４７】
なお、上記した更新通知の可否に関する情報（ｂ４）は、配信依頼者ガアップロードしたコンテンツが更新された場合でも、配信依頼者はユーザに更新通知に係る電子メールの配信を望まないケースもあり得るので設けている。更新通知の可否（ｂ４）には、配信依頼者がユーザに更新通知に係る電子メールの配信を希望する場合には例えば「可」を、望まない場合には「否」を登録する。また、更新通知の可否（ｂ４）は、配信依頼者の要請により何時でも変更可能にする。これにより、本発明は、配信依頼者にとって利便性の高いシステムを提供することができる。
【００４８】
電子メールに表示するＵＲＬ（ｂ６）は、更新されたコンテンツをアクセスするためのＵＲＬを示す。また、課金情報（ａ６）は、例えば、本システムにおいてコンテンツの更新通知の電子メールをユーザ会員に送信したときに、システム管理者側が配信依頼者に課金する課金単価（例えば、１電子メール当りの金額）を示す。
【００４９】
また、コンテンツ管理データベースＤ２には、図３に示すように、チャンネル番号（ａ１）ごとに、さらにこのチャンネル番号（ａ１）を識別する情報となる配信依頼者ＩＤ（ｂ１）を設定して登録してもよい。
【００５０】
図４は、ユーザデータベースＤ３についてそのデータ構成の一例を示している。ユーザデータベースＤ３は、コンテンツの更新通知の要求を行なったユーザ会員の識別情報となるユーザＩＤ（ｃ１）ごとに、このユーザの電子メールのメールアドレス（ｃ２）、このユーザ会員のパスワード（ｃ３）、このユーザ会員の属性情報（ｃ４）、等に関する情報から構成される。
【００５１】
図５は、更新通知マッチングテーブルＤＴ１についてそのデータ構成の一例を示している。この更新通知マッチングテーブルＤＴ１は、コンテンツ管理データベースＤ２の配信依頼者のＩＤ（ｂ１）と、ユーザデータベースＤ３のユーザＩＤ（ｃ１）とを関連付けして登録したデータテーブルである。この更新通知マッチングテーブルＤＴ１は、ストックサーバ５ａ等に格納されているコンテンツが更新されたときに、配信管理サーバ２がユーザに更新通知の電子メールを送信するためのメールアドレスを求める処理を行なうプログラム処理を簡素化するために必要なデータテーブルとなる。なお、図５に示す管理ＩＤ（ｄ１）は、管理用の識別情報である。
【００５２】
配更新通知マッチングテーブルＤＴ１は、前記したように、信管理サーバ２がインターネット８上に公開するＷｅｂページを利用して、コンテンツの更新通知の要求を希望するユーザ会員を募集したときに取得した情報である、更新通知を要求するコンテンツに関連付けされているチャンネル番号とユーザの電子メールのアドレスに基づいてプログラム処理により作成される。
【００５３】
コンテンツが更新されたときに、配信管理サーバ２がユーザに更新通知の電子メールを送信するためのメールアドレスを求める処理は、上記したデータベースＤ１、Ｄ２、Ｄ３を参照して求めることが可能であるが、この更新通知マッチングテーブルＤＴ１を備えておくことにより、そのプログラム処理を極めて簡素化することが可能になる。この更新通知の電子メールを送信するためのメールアドレスを求めるプログラム処理は、次の手順（１）〜（４）により行なうことができる。
【００５４】
（１）後述するように、配信依頼者が更新したコンテンツをアップロードしてストックサーバ５ａ等に格納されると、配信管理サーバ２はこのコンテンツに関連付けされたチャンネル番号を取得することができる。
（２）このチャンネル番号を取得すると、コンテンツ管理データベースＤ２を参照して、取得したチャンネル番号に対応する配信依頼者ＩＤ（ｂ１）を求める処理を行なう。
（３）この求めた配信依頼者ＩＤ（ｂ１）について、更新通知マッチングテーブルＤＴ１を参照して、この配信依頼者ＩＤ（ｂ１）に対応するユーザＩＤ（ｃ１）を求める。
（４）この求めたユーザＩＤ（ｃ１）について、ユーザデータベースＤ３を参照して、このユーザＩＤ（ｃ１）に対応する電子メールのメールアドレス（ｃ２）を求める。この求めたメールアドレス（ｃ２）が更新通知の電子メールを配信するユーザのメールアドレスになる。
なお、更新通知マッチングテーブルＤＴ１のデータ構成において、配信依頼者のＩＤ（ｂ１）に換えてチャンネル番号（ａ１）を登録してもよい。
【００５５】
［配信管理サーバが備えているプログラムの構成］
続いて、本システムの稼働を統括して制御する配信管理サーバ２が備えているプログラムの構成を、図６に基づいて説明する。図６に示すように、配信管理サーバ２は、ユーザ会員登録プログラムＰ１、コンテンツアップロードプログラムＰ２、コンテンツ配信処理プログラムＰ３、コンテンツ更新通知プログラムＰ４、データベース登録・更新プログラムＰ５、メール送信ログ記憶プログラムＰ６、課金算出プログラムＰ７、等を備えている。
【００５６】
ユーザ会員登録手段となるユーザ会員登録プログラムＰ１は、本システムを利用してストックサーバ５ａ、５ｂに格納されているコンテンツが更新されたときに、この更新の通知を電子メールで連絡を受けるユーザ会員に係る情報を、電子メールやＷｅｂページ等を利用して取得する処理を行なうためのプログラムである。本システムにおいて、ユーザ会員に係る情報としては、前記したように、このユーザ会員の電子メールのメールアドレス、更新の通知を受ける対象となるコンテンツのチャンネル番号、パスワード等であって、ユーザ会員の個人情報に係る氏名、住所等の属性情報は必ずしも取得する必要はない。なお、これら取得したユーザの電子メールのメールアドレス、チャンネル番号及びパスワード等は、ユーザ会員ごとにユーザＩＤ（ｃ１）を設定して、前記したユーザデータベースＤ３に登録される。
【００５７】
コンテンツアップロードプログラムＰ２は、配信依頼者が携帯電話機１ａ、あるいは端末装置１ｂから配信管理サーバ２をアクセスしてコンテンツをアップロードするときに、このコンテンツをストックサーバ５ａ等に格納するための制御を行なうプログラムである。このアップロードする処理の制御において、配信依頼者が携帯電話機１ａからコンテンツをアップロードするときには、このコンテンツを電子メールに添付して携帯電話機１ａから一旦メールサーバ３ａ等にアップロードするための制御と、メールサーバ３ａ等にアップロードされたコンテンツを、エンコードサーバ４を経由してストックサーバ５ａ等に送信するための制御を行なう。
また、配信依頼者がパーソナルコンピュータから構成される端末装置１ｂからからコンテンツをアップロードするときには、ＦＴＰ（file Transfer Protocol）を用いてエンコードサーバ４にアップロードするための制御を行なう。
【００５８】
コンテンツ配信処理プログラムＰ３は、ユーザがユーザの端末装置６ａ、６ｂ等が配信管理サーバ２をアクセスしてコンテンツの配信要求を行なったときに、これらユーザの端末装置から取得したチャンネル番号に関連付けされてストックサーバ５ａ等に格納されているコンテンツを、配信要求を行なったユーザの端末装置６ａ、６ｂ等に配信する制御を行なうためのプログラムである。
【００５９】
コンテンツ更新通知手段となるコンテンツ更新通知プログラムＰ４は、更新されたコンテンツが配信依頼者の携帯電話機１ａ、あるいは端末装置１ｂからアップロードされてストックサーバ５ａ等に格納されたときに、コンテンツ管理データベースＤ２、ユーザデータベースＤ３、更新通知マッチングテーブルＤＴ１を参照して、ユーザの携帯電話機６ａ、あるいは端末装置６ｂにこのコンテンツが更新された旨を通知する電子メールを送信する処理を行なうプログラムである。
【００６０】
データベース登録・更新プログラムＰ５は、上記したチャンネル番号データベースＤ１、コンテンツ管理データベースＤ２、ユーザデータベースＤ３、更新通知マッチングテーブルＤＴ１の作成と新規情報の登録や削除等の更新処理を行なうプログラムである。なお、各データベースやデータテーブルごとに、上記した処理を行なうサブプログラムを備えている。
【００６１】
メール送信ログ記憶プログラムＰ６は、コンテンツ更新通知プログラムＰ４がユーザの携帯電話機６ａ、又は端末装置６ｂに送信した電子メールのログ（送信履歴）情報を配信管理サーバ２、又は他のサーバの外部記憶装置に記憶する処理を行なうプログラムである。このログ情報としては、電子メールの送信日時、電子メールの送信先のメールアドレス、チャンネル番号、チャンネル番号に関連付けされているストックサーバ５ａ又は５ｂのＵＲＬ、等が含まれるようにする。この電子メールのログ情報は、後述する課金算出プログラムＰ７が課金処理を行なうために必要となる情報である。
【００６２】
課金算出プログラムＰ７は、システム管理者が配信依頼者との契約に基づいて、システム管理者が本システムのユーザへの更新通知等のサービスについて配信依頼者に対する課金額を算出するためのプログラムである。課金算出プログラムＰ７は、メール送信ログ記憶プログラムＰ６が記憶したログ情報に基づいて、例えば、１ケ月単位ごとに、チャンネル番号別に電子メールの送信回数を集計する処理と、予め設定された課金単価（コンテンツ管理データベースＤ２に登録されている課金情報（ａ８））とこの送信回数により課金金額を算出する処理を行なうプログラムである。そして、システム管理者は算出した課金金額を、このチャンネル番号に関連付けされた配信依頼者に請求する。
【００６３】
なお、メールサーバ３ａ、３ｂ、エンコードサーバ４、ストックサーバ５ａ及び５ｂ、メール配信サーバ７ａ、７ｂも、本システムを稼働させるために必要とするプログラムを備えている。これらのプログラムとして、メールサーバ３ａ、３ｂは配信依頼者の携帯電話機１ａからの電子メールを受信するメール受信処理プログラムと、配信管理サーバ２及びエンコードサーバ４と通信を行なうための通信処理プログラムを備えている。
【００６４】
また、エンコードサーバ４は、アップロードされた動画、又は静止画像等のファイルにＣＭ映像を結合する処理を行なうためのプログラムと、このＣＭ映像を結合したコンテンツをストックサーバ５ａ又は５ｂに送信するための通信処理プログラムを備えている。なお、ＣＭ映像は、エンコードサーバ４の外部記憶装置に記憶させておく。
【００６５】
ストックサーバ５ａ及び５ｂは、エンコードサーバ４及び配信管理サーバ２と通信を行なうための通信処理プログラムと、エンコードサーバ４から送信されたコンテンツを外部記憶装置の所定の記憶領域（ＵＲＬ）に記憶する処理を行なうためのコンテンツ格納プログラムと、ユーザの端末装置６ａ、６ｂが配信管理サーバをアクセスしてコンテンツの配信要求が発生したときに、配信要求されたコンテンツをユーザの端末装置６ａ、６ｂに配信する処理を行なう配信制御プログラムを備えている。
【００６６】
［ユーザ会員の登録処理］
続いて、システム管理者が本システムを利用してコンテンツの更新通知のサービスを受けるユーザ会員を募集して、このユーザ会員に係る情報を配信管理２のデータベースに登録する手順の一例について説明する。
【００６７】
図７〜図１０は、コンテンツの更新通知を要求するユーザをユーザ会員として募集して、ユーザのメールアドレスと更新通知を希望するコンテンツに関連付けされたチャンネル番号等に関する情報を取得するための携帯電話機用のＷｅｂページの一例を示している。以下、図７〜図１０に基づいて、ユーザ会員の登録処理について説明する。
【００６８】
図７は、配信管理サーバ２の制御により、ユーザのメールアドレスを取得するために、ユーザの携帯電話機６ａの表示装置に、空メールを送信するための画面例（ｗ１）を示している。なお、携帯電話機６ａが配信管理サーバ２のユーザ会員登録用のＷｅｂページをアクセスすると、このＷｅｂページから図７に示すＷｅｂページ（ｗ１）が表示されるようにリンクする。この空メールによりメールアドレスを取得する手段は従来から実施されている方法であって、ユーザは、図７に示すＷｅｂページ（ｗ１）の表示領域（ｗ１−１）に表示されているアドレス宛に空メールを送信すると、配信管理サーバ２はこの空メールに対する返信メールをユーザの携帯電話機６ａに送信する。この返信メールの表示画面（図示せず）には、会員登録を行なうためのＵＲＬを表示する。そして、ユーザがこの会員登録用のＵＲＬをアクセスすると、配信管理サーバ２はこのアクセスに基づいてユーザの電子メールのメールアドレスを取得することができる。そして、メールアドレスを取得すると、データベース登録・更新プログラムＰ５により、このユーザに対して固有のユーザＩＤを設定し、このユーザＩＤ（ｃ１）と取得したメールアドレスとを対応付けしてユーザデータベースＤ３に登録する。
【００６９】
配信管理サーバ２は、ユーザの電子メールのメールアドレスを取得すると、このユーザの携帯電話機６ａに、ユーザ会員として登録するためのＷｅｂページ（図示せず）を表示し、このＷｅｂページから、ユーザの現住所の郵便番号、年令、性別、等のユーザの属性情報を取得する処理を行なう。そして、これら取得した情報は、データベース登録・更新プログラムＰ５により、ユーザデータベースＤ３に登録する。なお、このＷｅｂページには、ユーザから更新通知の要求を受け付ける対象となるコンテンツに関連付けされたチャンネル番号を取得するためのＷｅｂページ（更新通知登録Ｗｅｂページ）にリンクを張った領域を設ける。
【００７０】
ユーザが携帯電話機６ａから更新通知登録ＷｅｂページのＵＲＬをアクセスすると、配信管理サーバ２のユーザ会員登録プログラムＰ１は、図８に示す更新通知登録Ｗｅｂページ（ｗ２）をユーザが携帯電話機６ａに表示する処理を行なう。更新通知登録Ｗｅｂページ（ｗ２）は、更新通知の要求を取得する画面であって表示領域（ｗ２−１）にコンテンツに関連付けされたチャンネル番号を入力して「このチャンネルを登録」ボタンをクリックすると、ユーザ会員登録プログラムＰ１はこの入力されたチャンネル番号を取得する処理を行なう。
【００７１】
なお、更新通知登録Ｗｅｂページ（ｗ２）の表示領域（ｗ２−１）には、更新通知の要求をジャンルから検索して、ユーザが指定したチャンネル番号を取得する手段を設けている。例えば、表示領域（ｗ２−１）をクリックすると予め設定した複数種のジャンルが表示され、このうちの一つを指定して「検索する」ボタンをクリックすると、指定したジャンルに関するコンテンツのタイトル名とそのチャンネル番号の一覧を記載した検索用Ｗｅｂページが表示されるようにする。そして、ユーザが希望するタイトル名又はチャンネル番号を指定すると、ユーザ会員登録プログラムＰ１はこの入力されたチャンネル番号を取得する処理を行なう。
【００７２】
ユーザ会員登録プログラムＰ１は、更新通知登録Ｗｅｂページ（ｗ２）からユーザが更新通知を要求するコンテンツに関連付けられたチャンネル番号を取得すると、図９に示す登録の確認画面（ｗ３）を表示する処理を行なう。この登録の確認画面（ｗ３）の表示領域（ｗ２−１）には、例えば、ユーザが更新通知を要求するコンテンツのタイトル名等を表示する。そして、ユーザが「登録します」のボタンをクリックすると、データベース登録・更新プログラムＰ５を作動させて、この取得したチャンネル番号及び上記したＷｅｂページにより取得できるユーザのメールアドレスに基づいて、更新通知マッチングテーブルＤＴ１に必要とする情報を登録する処理を行なう。この処理の内容は次（１）〜（３）に記載の内容になる。
【００７３】
（１）更新通知登録Ｗｅｂページ（ｗ２）から取得したチャンネル番号に対応してコンテンツ管理データベースＤ２に登録されている配信依頼者ＩＤ（ｂ１）を求める。
（２）ユーザの携帯電話機６ａに表示した更新通知登録Ｗｅｂページ（ｗ２）から取得したメールアドレスに対応してユーザデータベースＤ３に登録されているユーザＩＤ（ｃ１）を求める。
（３）上記（１）で求めた配信依頼者ＩＤ（ｂ１）と、上記（２）で求めたユーザＩＤ（ｃ１）とを対応付けして、更新通知マッチングテーブルＤＴ１に登録する処理を行なう。
【００７４】
また、ユーザ会員登録プログラムＰ１は、上記した更新通知マッチングテーブルＤＴ１への登録処理が終了すると、ユーザの携帯電話機６ａにこのユーザが更新通知を受けるチャンネルの一覧を、図１０に示すような画面（ｗ４）により表示する処理を行なう。このＷｅｂページ（ｗ４）の表示領域（ｗ４−１）には、ユーザが更新通知の要求を登録したコンテンツのタイトル名の一覧を表示する。なお、このタイトル名に対応するコンテンツのチャンネル番号も表示してもよい。
【００７５】
なお、このＷｅｂページ（ｗ４）は、インターネット８上に公開する本システムのトップ（ホーム）ページからパスワードを入力することによりアクセス可能にする。そして、Ｗｅｂページ（ｗ４）のコンテンツのタイトル名に対応する表示画面の「解除」ボタンをクリックすると、コンテンツのチャンネル番号と関連付けされている配信依頼者ＩＤとこの配信依頼者ＩＤに対応付けして登録されているユーザＩＤに関する情報を、更新通知マッチングテーブルＤＴ１から削除する処理を行なう。これにより、ユーザからコンテンツの更新通知の要求を登録した情報を、更新通知マッチングテーブルＤＴ１から削除することが可能になる。また、ユーザが新規に更新通知の要求を登録する場合には、Ｗｅｂページ（ｗ４）の表示領域（ｗ４−２）の「チャンネルの登録」をクリックすると、図８に示すＷｅｂページ（ｗ２）を表示する処理を行なうようにする。
【００７６】
なお、パーソナルコンピュータから構成されるユーザの端末装置６ｂに、コンテンツの更新通知に関する電子メールを送信するために、ユーザ会員登録プログラムＰ１は、上記した携帯電話機によるユーザ会員登録用のＷｅｂページとほぼ同様な内容のＷｅｂページを端末装置６ｂに表示して、必要な情報を取得する処理を行なうようにする。
【００７７】
［コンテンツのアップロードとコンテンツの更新通知の処理手順］
続いて、配信依頼者が携帯電話機１ａを操作して配信管理サーバ２をアクセスしてコンテンツをアップロードする手順と、本システムの特徴となるユーザの携帯電話機６ａにコンテンツの更新通知の電子メールを送信する手順について説明する。
【００７８】
図１１は、配信依頼者がコンテンツを携帯電話機１ａからアップロードしてストックサーバ５ａ又は５ｂに格納するまでの手順と、更新通知の電子メールをユーザの携帯電話機６ａに送信する手順についてその処理の流れを示すフローチャートである。以下、図１１に示すステップ順に処理の流れを説明する。
【００７９】
（ステップＳ１）〜（ステップＳ４）
配信依頼者は、携帯電話機１ａを操作して配信管理サーバ２がインターネット８上に公開している本システムのホームページをアクセス（ステップＳ１）し、このホームページにリンクされているコンテンツアップロード用Ｗｅｂページをアクセスする（ステップＳ３）。コンテンツアップロード用Ｗｅｂページがアクセスされると、コンテンツアップロードプログラムＰ２は、この配信依頼者に配信依頼者のパスワードを入力させるためのＷｅｂページを携帯電話機１ａに表示して、配信依頼者のパスワードを取得する処理を行なう。そして、取得したパスワードが予めチャンネル番号データベースＤ１に登録されたパスワード（ａ５）と一致するか否かの認証処理を行なう（ステップＳ４）。なお、認証処理を行なってパスワードが一致しない場合には、配信依頼者の携帯電話機１ａにエラーメッセージを表示する処理を行なう。
【００８０】
（ステップＳ５）
配信依頼者から取得したパスワードが予め登録されたパスワード（ａ５）と一致していると判定されると、このパスワードに関連付けして配信依頼者に発行されているチャンネル番号を、チャンネル番号データベースＤ１から求める。そして、この求めたチャンネル番号を記載したＷｅｂページ（チャンネル番号指定用Ｗｅｂページ）を、配信依頼者の携帯電話機１ａに表示する処理を行なう。なお、一つのパスワードに対して複数のチャンネル番号が発行されている場合には、これら複数のチャンネル番号をチャンネル番号指定用Ｗｅｂページに記載する処理を行なう。また、この処理においてはチャンネル番号に対応してコンテンツ管理データベースＤ２に登録されているコンテンツのタイトル名（ｂ２）も表示する処理を行なうとよい。
【００８１】
（ステップＳ６）
配信依頼者は、ステップＳ５の処理により表示されたチャンネル番号指定用Ｗｅｂページから、これからアップロードするコンテンツに対応するチャンネル番号を選択して配信管理サーバ２に送信する操作を行なう。
【００８２】
（ステップＳ７）
配信管理サーバ２のコンテンツアップロードプログラムＰ２は、コンテンツを電子メールにファイルとして添付して送信するためのメールアドレスとメールの件名を記載したＷｅｂページを、携帯電話機１ａに表示する処理を行なう。このメールアドレスは、ステップＳ６の処理で取得したチャンネル番号に対応してチャンネル番号データベースＤ１に登録されているメール受信サーバ３ａ又は３ｂのＵＲＬ（ａ２）になる。また、コンテンツアップロードプログラムＰ２は、電子メールの件名を作成しこの件名とステップＳ６の処理で取得したチャンネル番号とを関連付けしてＲＡＭ（Random Access memory）に記憶する処理を行なう。
【００８３】
（ステップＳ８）
配信依頼者は、ステップＳ７の処理により表示されたメールアドレス宛に、携帯電話機１ａで予め撮像してこの携帯電話機１ａにファイルとして記憶されている一つの動画像、あるいは静止画像を電子メールに添付して送信する処理を行なう。
【００８４】
（ステップＳ９）
メールサーバ３ａ又は３ｂは、ステップＳ８により携帯電話機１ａから電子メールを受信すると、受信した電子メールに添付されている動画像、あるいは静止画像等のコンテンツを一旦ＲＡＭに記憶する処理を行なった後に、配信管理サーバ２に対して携帯電話機１ａから受信したこのコンテンツに関するチャンネル番号と、このコンテンツを送信するエンコードサーバ４とストックサーバ５ａ、又は５ｂのＵＲＬの送信要求を行なう。この送信要求を行なうときには、携帯電話機１ａから受信した電子メールのメール件名も配信管理サーバ２に送信する処理を行なう。
【００８５】
（ステップＳ１０）
コンテンツアップロードプログラムＰ２は、ステップＳ９の処理に基づいて電子メールのメール件名を受信すると、受信したメール件名について前記ステップＳ７の処理で記憶したチャンネル番号に対応してチャンネル番号データベースＤ１に登録されているエンコードサーバ４のＵＲＬ（ａ４）、ストックサーバ５ａ又は５ｂのＵＲＬ（ａ３）を求める処理を行なう。そして、求めたこれらＵＲＬ（ａ３）とＵＲＬ（ａ４）、及びステップＳ７の処理で記憶していたチャンネル番号を、メールサーバ３ａ又は３ｂに送信する処理を行なう。
【００８６】
（ステップＳ１１）
ステップＳ９により受信したコンテンツと、前記ステップＳ１０の処理により受信したチャンネル番号と、前記ステップＳ１０の処理により受信したストックサーバのＵＲＬ（ａ３）とを、エンコードサーバ４のＵＲＬ（ａ４）をアクセスしてエンコードサーバ４に送信する処理を行なう。
【００８７】
（ステップＳ１２）
エンコードサーバ４は、前記したように、メールサーバ３ａ又は３ｂから受信したコンテンツにＣＭ映像を結合する処理を行なう。そして、ＣＭ映像を結合したコンテンツをメールサーバ３ａまたは３ｂから受信したストックサーバのＵＲＬ（ａ３）をアクセスしてストックサーバ５ａ又は５ｂに送信する処理を行なう。このとき、メールサーバ３ａ又は３ｂから受信したチャンネル番号も、ストックサーバ５ａ又は５ｂに送信する処理を行なう。なお、前記したように、配信依頼者との契約に基づいてＣＭ映像を結合するか否かを決定することが望ましいので、ＣＭ映像結合に関する情報をチャンネル番号データベースＤ１に登録しておくようにする。そして、エンコードサーバ４はこのＣＭ映像結合に関する情報を配信管理サーバ２から取得し、ＣＭ映像を結合しないコンテンツの場合には、ステップＳ１２の処理は実行しないようにする。
【００８８】
（ステップＳ１３）
ストックサーバ５ａ又は５ｂは、エンコードサーバ４から受信したコンテンツをその外部記憶装置に格納（記憶）する処理を行なう。ストックサーバ５ａ又は５ｂが備えている受信処理プログラムは、受信したコンテンツを格納する記憶領域（ＵＲＬ）を、例えば、次の（処理１）及び（処理２）により決定し、この決定したＵＲＬにコンテンツを記憶する処理を行なう。そして、コンテンツの格納処理が完了すると、格納処理が完了した旨を示すコマンドを、このコンテンツに関連付けされているチャンネル番号とともに配信管理サーバ２に送信する。
【００８９】
（処理１）
コンテンツを格納する記憶領域（ＵＲＬ）の最上位のディレクトリ（最上位のフォルダ）名は、予め設定された名称（例えば、「ＳＴＯＣＫ」）とする処理を行なう。
（処理２）
エンコードサーバ４から受信したコンテンツを記憶する記憶領域は、この最上位のフォルダ名の中に、メールサーバ３から受信したチャンネル番号をフォルダ名として記憶する処理を行なう。
【００９０】
上記した（処理１）と（処理２）により、受信処理プログラムがコンテンツを記憶するＵＲＬを求める例を説明すると次のようになる。この処理において、上記した最上位のフォルダ名を「ＳＴＯＣＫ」と設定した場合に、チャンネル番号が「００１００１００１」に関連付けされたコンテンツがエンコードサーバ４から送信されると、このコンテンツを格納する記憶領域のＵＲＬは、下記（Ｕ）に示す内容になる。
http://www.stocksaver1co.jp/stock/001001001/080301.3gp  ・・・（Ｕ）
【００９１】
なお、上記ＵＲＬ（Ｕ）において、「０８０３０１．３ｇｐ」はこのコンテンツのファイル名であってこのコンテンツがアップロードされた日付をファイル名としたことを示している。また、「３ｇｐ」は拡張子を示し、アップロードされたコンテンツが携帯電話機１ａで３ＧＰＰ規格に基づいて撮像された動画像のファイルであることを示している。このように、配信依頼者からアップロードされたコンテンツについて、このコンテンツに関連付けされたチャンネル番号をフォルダ名として設定してストックサーバ５ａ又は５ｂの記憶領域に格納することにより、コンテンツの配信要求等に対する配信管理サーバ２のプログラム処理が極めて簡素化される効果も生じる。
【００９２】
（ステップＳ１４）
配信管理サーバ２は、ストックサーバ５ａ又は５ｂからコンテンツの格納処理が完了したことを示す制御コマンドとチャンネル番号に関する情報を受信すると、待ち時間を設定することなく、直ちに、コンテンツ更新通知プログラムＰ４を作動させて、ユーザの携帯電話機６ａにコンテンツの更新通知の電子メールを送信するための処理を行なう。この処理を行なうために、コンテンツ更新通知プログラムＰ４は次の処理（１）〜（７）を行なう。
【００９３】
（１）ます、コンテンツ管理データベースＤ２を参照して、ストックサーバ５ａ又は５ｂから受信したチャンネル番号に対応してコンテンツ管理データベースＤ２に登録されている更新通知の可否（ｂ４）の登録内容を判定する。そして、更新通知の可否（ｂ４）に「可」が登録されていると、下記の処理（２）を行なう。一方、「否」が登録されていると配信依頼者はコンテンツの更新通知を行わないことを希望しているので、ステップＳ１４の処理は終了する。
【００９４】
（２）更新通知の可否（ｂ４）に「可」が登録されているので、コンテンツ更新通知プログラムＰ４は、ストックサーバ５ａ又は５ｂから受信したチャンネル番号に対応してコンテンツ管理データベースＤ２に登録されている配信依頼者ＩＤ（ｂ１）、メール配信サーバのＵＲＬ（ｂ５）、更新通知メールに表示するＵＲＬ（ｂ６）、及びジャンル名（ｂ２）等を抽出してＲＡＭに記憶する処理を行なう。
【００９５】
（３）さらに、コンテンツ管理データベースＤ２のコンテンツアップロード日時を記憶する欄に、既にコンテンツアップロード日時（ｂ７）が記憶されているか否かを判定する。この判定の結果、コンテンツアップロード日時（ｂ７）に関る情報が記憶されていない（例えば、「スペースが記憶されている」）場合には、このチャンネル番号が設定されたコンテンツが初めてアップロードされたと判定して、このコンテンツがアップロードされた本日の日時をコンテンツ管理データベースＤ２のコンテンツアップロード日時の記憶欄（ｂ７）に記憶する処理を行なって、ステップＳ１４の処理を終了する。
【００９６】
（４）一方、コンテンツアップロード日時の記憶欄にアップロード日時（ｂ７）が既に記憶されていると、配信依頼者はこのチャンネル番号に関連付けされたコンテンツについて更新したコンテンツをアップロードしたと判定して、コンテンツ管理データベースＤ２のコンテンツアップロード日時の記憶欄に、本日の日時をアップロード日時（ｂ７）として記憶する処理を行なう。そして、次の処理（５）〜（６）を実行する。
【００９７】
（５）コンテンツ更新通知プログラムＰ４は、メールアドレス抽出手段となるメールアドレス抽出プログラムを作動させて、上記（２）の処理で記憶した配信依頼者ＩＤ（ｂ１）に対応して更新通知マッチングテーブルＤＴ１に登録されているユーザＩＤ（ｃ１）を求める。
【００９８】
（６）上記（５）の処理で抽出したユーザＩＤ（ｃ１）に対応してユーザデータベースＤ３に登録されているメールアドレス（ｃ２）を求める処理を行なう。
【００９９】
（７）上記（６）の処理で求めたメールアドレス（ｃ２）と、ストックサーバ５ａ又は５ｂから受信したチャンネル番号と、上記（２）の処理で求めた更新通知メールに表示するＵＲＬ（ｂ６）、タイトル名（ｂ２）等を、上記（２）の処理で求めたメール配信サーバ７ａ又は７ｂのＵＲＬ（ｂ６）に送信する処理を行なう。更新通知メールに表示するＵＲＬ（ｂ６）は、ストックサーバ５ａ又は５ｂから受信したチャンネル番号に基づいて、前記したＵＲＬ（Ｕ）を求める処理と同様の手順により求めたＵＲＬとしてもよい。
【０１００】
（ステップＳ１５）
メールサーバ７ａ又は７ｂは、配信管理サーバ２からメールアドレス（ｃ２）と、ＵＲＬ（ｂ６）、ジャンル名（ｂ２）等を受信すると、メール送信プログラムにより、この受信したメールアドレス（ｃ２）宛にコンテンツが更新された旨を表示した更新通知の電子メールを、ユーザの携帯電話機６ａに送信する処理を行なう。図１２は、この更新通知の電子メールをユーザの携帯電話機６ａに表示したメール表示例（ｗ５）を示している。このメールの表示例（ｗ５）の表示領域ｗ５−１には、配信管理サーバ２から受信したチャンネル番号を表示して、この表示されたチャンネル番号が設定されているコンテンツが更新されたことをユーザに通知している。なお、図１２に示す電子メールは、チャンネル番号のみを表示しているが、このチャンネル番号に関連付けされたコンテンツのタイトル名（ｂ２）も表示してもよい。
【０１０１】
また、電子メールの表示例（ｗ５）の表示領域（ｗ５−２）には、配信管理サーバ２から受信したＵＲＬ（ｂ６）を表示する。この表示されたＵＲＬ（ｂ６）は、更新通知のメールを受信したチャンネル番号に関連付けされたコンテンツを格納しているストックサーバ５ａ又は５ｂのＵＲＬとなっている。従って、ユーザは、表示領域ｗ５−２に表示されているＵＲＬをアクセスすると、更新されたコンテンツを閲覧又は視聴することが可能になる。このステップＳ１４〜ステップＳ１５を実行する処理手段は、コンテンツ更新通知手段となる。
【０１０２】
メールサーバ７ａ又は７ｂは、更新通知の電子メールをユーザの携帯電話機６ａに送信する処理が完了すると、メール送信ログ記録プログラムにより、電子メールの送信に関する履歴情報を外部記憶装置に記録する処理を行なう。なお、メールサーバ７ａ又は７ｂは、更新通知の電子メールの送信が完了すると、その旨を示す情報を配信管理サーバ２に送信し、配信管理サーバ２のメール送信ログ記録プログラムＰ６により更新通知の電子メールの送信に関する履歴情報を配信管理サーバ２の外部記憶装置に記録する処理を行なってもよい。
【０１０３】
本発明において、上記したステップＳ１４とステップＳ１５の処理は、ストックサーバ５ａ又は５ｂから更新したコンテンツの格納完了情報を受信すると、直ちに実行することができる。従って、ユーザは予め登録しておいたコンテンツが更新されると、ほぼリアルタイムに更新通知の電子メールを受信することができるので、本発明はユーザ及び配信依頼者にとって利便性の高いシステムとなる。
【０１０４】
[コンテンツの配信要求] 
続いて、本発明のシステムを利用してユーザが携帯電話機６ａを操作して配信管理サーバ２をアクセスして、コンテンツの視聴又は閲覧を行なう配信要求の手順の概要について説明する。この手順は、例えば、下記（１）〜（４）に記載の手順により実施することができる。なお、システム管理者は、ストックサーバ５ａ又は５ｂに格納しているコンテンツについて、コンテンツのジャンル別にタイトル名とそのチャンネル番号等を掲載した配信要求用のＷｅｂページを、配信管理サーバ２又はその他のＷｅｂサイトを利用してインターネット６上に公開する。
【０１０５】
（１）ユーザが携帯電話機６ａを操作して配信管理サーバ２の配信要求用のＷｅｂページをアクセスすると、配信管理サーバ２のコンテンツ配信処理プログラムＰ３は、ユーザの携帯電話機６ａ等に上記した配信要求用のＷｅｂページを表示する処理を行なう。そして、ユーザが配信要求用のＷｅｂページから配信要求を行ないたいチャンネル番号をクリックして選択すると、コンテンツ配信処理プログラムＰ３は選択されたチャンネル番号を取得する。
【０１０６】
（２）続いて、コンテンツ配信処理プログラムＰ３は、上記（１）により取得したチャンネル番号から、このチャンネル番号と関連付けされたコンテンツを格納しているストックサーバ５ａ又は５ｂのＵＲＬを求める処理を行なう。このＵＲＬを求める処理は、次の手順により求めることができる。
【０１０７】
まず、取得したチャンネル番号がチャンネル番号データベースＤ１に登録されているか否かを判定する処理を行なう。この判定の結果、チャンネル番号が登録されていると、続いて、このチャンネル番号に対応してチャンネル番号データベースＤ１に登録されているストックサーバのＵＲＬ（ａ３）を求める処理を行なう。
【０１０８】
（３）続いて、コンテンツ配信処理プログラムＰ３は、上記の処理で求めたＵＲＬ（ａ３）に基づいてストックサーバ５ａ又は５ｂをアクセスして、配信要求を行なったユーザの携帯電話機１ａのＵＲＬと、ユーザの携帯電話機１ａから取得した配信要求に伴うチャンネル番号を送信する処理を行なう。
【０１０９】
（４）ストックサーバ５ａ又は５ｂは、配信管理サーバ２からユーザの携帯電話機１ａのＵＲＬと配信要求に伴うチャンネル番号を受信すると、配信制御プログラムにより、このチャンネル番号に関連付けされたコンテンツを格納している記憶領域（ＵＲＬ）を求める処理を行なう。なお、このコンテンツを格納しているＵＲＬは、前記したＵＲＬ（Ｕ）で表されるＵＲＬになる。そして、ストックサーバ５ａ又は５ｂの配信制御プログラムは、この求めたＵＲＬを、配信要求を行なったユーザの携帯電話機１ａに送信する処理を行なう。これにより、ユーザの携帯電話機１ａに搭載されているブラウザソフトは受信したＵＲＬをアクセスする。これにより、ユーザは配信要求したコンテンツの視聴や閲覧を行なうことができる。
【０１１０】
上記した本発明の実施形態の説明においては、配信依頼者はコンテンツを携帯電話機１ａからアップロードし、更新通知の電子メールはユーザの携帯電話機６ａに送信する例について説明した。なお、ユーザがパーソナルコンピュータから構成さる端末装置１ｂからコンテンツをアップロードする場合には、配信管理サーバ２のコンテンツアップロードプログラムＰ２は、次の処理を行なうようにするとよい。
【０１１１】
すなわち、コンテンツアップロードプログラムＰ２は、端末装置１ｂからアップロードされるコンテンツは、前記したように、例えばＦＴＰにより端末装置１ｂからエンコードサーバ４に転送されるように制御する。また、ストックサーバ５ａ又は５ｂに格納するコンテンツは、パーソナルコンピュータ用に設定した記憶領域に格納する処理を行なうようにする。そして、このストックサーバ５ａ又は５ｂに設定したパーソナルコンピュータ用の記憶領域に格納したコンテンツについて、更新されたコンテンツがアップロードされると、ユーザデータベースＤ３に登録されているパーソナルコンピュータ用のメールアドレス宛にコンテンツ更新の電子メールを送信する処理を行なうようにする。この理由は、携帯電話用のコンテンツと、パーソナルコンピュータ用のコンテンツとは、そのデータ量、画面に表示するときの画面サイズが異なるからである。
【０１１２】
また、パーソナルコンピュータから構成さる端末装置１ｂからコンテンツをアップロードする場合には、動画（動画像）、静止画像、ブログ用Ｗｅｂページを含む各種のＷｅｂページの他に、ワープロ用のソフトウエアで作成したテキスト文書、図面作成用ソフトウエアで作成した図面情報など、ファイル化可能な情報であれはそのファイル形式に係らず本発明のシステムを適用できる効果が生じる。
【０１１３】
また、本発明においてブログ用Ｗｅｂページについて更新通知を実施する場合には、例えば、配信管理サーバ２にブログサービスサイトを設けて、ブログ記事の投稿者にチャンネル番号を付与する。そして、フログ投稿者は端末装置１ｂのプログ管理画面を操作してＰｉｎｇ送信先をプログ投稿者に設定されたチャンネル番号を登録する。これにより、ブログ投稿者が投稿した記事情報もストックサーバ５ａ又は５ｂに格納することも可能になって、更新されたブログ記事が投稿されると、ユーザに上記した手順により更新通知のメールを配信することが可能になる。
【０１１４】
また、本発明を実施するために配信管理サーバ２は、チャンネル番号データベースＤ１、コンテンツ管理データベースＤ２、ユーザデータベースＤ３、及び更新通知マッチングテーブルＤＴ１の４種のデータベースを設ける例について説明したが、データベースのデータ構成や種類はこれらに限定されるものではなく、システムの規模に応じて適切なデータベースを設けるようにするとよい。
【０１１５】
上記したように、本発明は単純なシステム構成で実用化できる。さらに、特に、コンテンツが更新される頻度が高いコンテンツについて本発明を適用すると、コンテンツが更新されるとその更新通知の電子メールを直ちにユーザ会員の端末装置に配信することができるので、配信依頼者、ユーザ及びシステム管理者にとってその効果は極めて大きくなる。例えば、本発明を携帯電話機を利用した動画の投稿システム、各種の店舗やサービス業の各企業が販売促進用の動画をユーザの携帯電話機に配信する動画配信システム等に適用すると、ユーザによるシステムのアクセス頻度が向上して、そ販売促進の効果を得ることが可能になる。
【図面の簡単な説明】
【０１１６】
【図１】本発明を実施するためのシステム構成の一例を説明するためのシステム構成図である。
【図２】図１に示す配信管理サーバが備えているチャンネル番号データベースについて、そのデータ構成の一例を説明するための図である。
【図３】図１に示す配信管理サーバが備えているコンテンツ管理データベースについて、そのデータ構成の一例を説明するための図である。
【図４】図１に示す配信管理サーバが備えているユーザデータベースについて、そのデータ構成の一例を説明するための図である。
【図５】図１に示す配信管理サーバが備えている更新通知マッチングテーブルについて、そのデータ構成の一例を説明するための図である。
【図６】図１に示す配信管理サーバが備えているプログラムの構成例を説明するための図である
【図７】本システムを利用するユーザを、ユーザ会員として登録するために、配信管理サーバがユーザの携帯電話機に表示するＷｅｂページの一例を説明するための図である。
【図８】同じく、本システムを利用するユーザを、ユーザ会員として登録するために、配信管理サーバがユーザの携帯電話機に表示する他のＷｅｂページの一例を説明するための図である。
【図９】同じく、本システムを利用するユーザを、ユーザ会員として登録するために、配信管理サーバがユーザの携帯電話機に表示する他のＷｅｂページの一例を説明するための図である。
【図１０】同じく、本システムを利用するユーザを、ユーザ会員として登録するために、配信管理サーバがユーザの携帯電話機に表示する他のＷｅｂページの一例を説明するための図である。
【図１１】本発明において、配信依頼者からアップロードされたコンテンツをストックサーバに格納するまでの処理手順と、コンテンツの更新通知を電子メールによりユーザの携帯電話機に送信する処理手順の流れを説明するための図である。
【図１２】本発明により、ユーザの携帯電話機に送信されるコンテンツの更新通知の電子メールについてその表示例を示す図である。
【符号の説明】
【０１１７】
１ａ：配信依頼者の携帯電話機
１ｂ：配信依頼者の端末装置
２  ：配信管理サーバ
３ａ、３ｂ：メールサーバ（メール受信サーバ）
４  ：エンコードサーバ
５ａ、５ｂ：ストックサーバ
６ａ  ：ユーザの携帯電話機
６ｂ  ：ユーザの端末装置
７ａ、７ｂ：メール配信サーバ
８  ：インターネット
Ｄ１：チャンネル番号データベース
Ｄ２：コンテンツ管理データベース
Ｄ３：ユーザデータベース
ＤＴ１：更新通知マッチングテーブル
Ｐ１：ユーザ会員登録プログラム
Ｐ２：コンテンツアップロードプログラム
Ｐ４：コンテンツ更新通知プログラム
【図１】
2009223553.tif 000003
【図２】
2009223553.tif 000004
【図３】
2009223553.tif 000005
【図４】
2009223553.tif 000006
【図５】
2009223553.tif 000007
【図６】
2009223553.tif 000008
【図７】
2009223553.tif 000009
【図１０】
2009223553.tif 000010
【図１１】
2009223553.tif 000011
【図１２】
2009223553.tif 000012
【図８】
2009223553.tif 000013
【図９】
2009223553.tif 000014